(57)【要約】      （修正有）【課題】顕微鏡に内向角変更部を設ける場合において、リーチングディスタンスが長くならない細隙灯顕微鏡を提供する。【解決手段】スリット光を照射する細隙灯、及び細隙灯から照射されたスリット光を反射させて被検者眼に照射する反射鏡又はプリズムを有するスリット光光学系と、対物レンズ５０、双眼の接眼レンズ５２、双眼の接眼レンズ５２と対物レンズ５０との間に設けられて双眼の各光路の倍率を変更する倍率変更部５４、及び双眼での視野角を変更する内向角変更部５６を有する顕微鏡ユニットと、顕微鏡ユニットを支持するために倍率変更部５４から下方に延びる支持部と、を具備し、対物レンズ５０は、内向角変更部５６を設けていないものよりも焦点距離を短くした構成であり、内向角変更部５６は、支持部が設けられている倍率変更部５４よりも対物レンズ５０側に設けられている。【選択図】図４
2018099433.tif 000002
【特許請求の範囲】
【請求項１】
スリット光を照射する細隙灯、及び該細隙灯から照射されたスリット光を反射させて被検者眼に照射する反射鏡又はプリズムを有するスリット光光学系と、
対物レンズ、双眼の接眼レンズ、該双眼の接眼レンズと前記対物レンズとの間に設けられて双眼の各光路の倍率を変更する倍率変更部、及び双眼での視野角を変更する内向角変更部を有する顕微鏡ユニットと、
該顕微鏡ユニットを支持するために前記倍率変更部から下方に延びる支持部と、を具備し、
前記対物レンズは、前記内向角変更部の光路長分だけ、内向角変更部を設けていないものよりも焦点距離を短くした構成であり、
前記内向角変更部は、前記支持部が設けられている前記倍率変更部よりも前記対物レンズ側に設けられていることを特徴とする細隙灯顕微鏡。
【請求項２】
前記内向角変更部及び前記対物レンズは、前記倍率変更部に対して着脱可能な１つの内向角変更ユニットとして構成されていることを特徴とする請求項１記載の細隙灯顕微鏡。
【請求項３】
前記内向角変更部は、
光路中の位置と光路外の位置との間で移動可能に設けられていることを特徴とする請求項１又は請求項２記載の細隙灯顕微鏡。
【発明の詳細な説明】
【技術分野】
【０００１】
本発明は、被検者眼を細隙灯により観察するための細隙灯顕微鏡に関する。
【背景技術】
【０００２】
細隙灯顕微鏡は、眼科において被検者眼（前眼部等）を観察するために用いられる装置である。細隙灯顕微鏡は、スリットランプマイクロスコープとも称される。
【０００３】
従来の細隙灯顕微鏡について説明する。
細隙灯顕微鏡は、スリット光（細隙光）を被検者眼に斜め方向から照射して透明又は半透明の組織を可視化して観察できるように設けられており、スリット光を照射するためのスリット光光学系と、被検者眼を観察するための顕微鏡ユニットとを具備している。
【０００４】
顕微鏡ユニットは、対物レンズと、双眼の接眼レンズとを備えており、また対物レンズと接眼レンズとの間には観察倍率を変更する倍率変更部と、双眼での内向角を変更する内向角変更部とが設けられている（特許文献１〜特許文献２参照）。
内向角変更部としてはプリズム等が採用されうる。
【先行技術文献】
【特許文献】
【０００５】
【特許文献１】特開昭６２−２６９９２３号公報
【特許文献２】特開２００８−８６４３５号公報
【発明の概要】
【発明が解決しようとする課題】
【０００６】
従来の顕微鏡ユニットにおいては、対物レンズと被検者眼との間の距離が一定のままであれば、内向角変更部を設ける構成を採用すると、顕微鏡ユニットの接眼レンズを観察者側に移動させざるを得ない。
【０００７】
観察者側に顕微鏡ユニットの接眼レンズが移動した構成では、被検者と観察者との間の距離（リーチングディスタンス）が長くなり、小柄な人などは手が届きにくくなって操作しにくくなるという課題がある。
【０００８】
そこで本発明は上記課題を解決すべくなされ、その目的とするところは、細隙灯顕微鏡の顕微鏡ユニットに内向角変更部を設ける場合において、リーチングディスタンスが長くならないようにできる細隙灯顕微鏡を提供することにある。
【課題を解決するための手段】
【０００９】
本発明にかかる細隙灯顕微鏡によれば、スリット光を照射する細隙灯、及び該細隙灯から照射されたスリット光を反射させて被検者眼に照射する反射鏡又はプリズムを有するスリット光光学系と、対物レンズ、双眼の接眼レンズ、該双眼の接眼レンズと前記対物レンズとの間に設けられて双眼の各光路の倍率を変更する倍率変更部、及び双眼での視野角を変更する内向角変更部を有する顕微鏡ユニットと、該顕微鏡ユニットを支持するために前記倍率変更部から下方に延びる支持部と、を具備し、前記対物レンズは、前記内向角変更部の光路長分だけ、内向角変更部を設けていないものよりも焦点距離を短くした構成であり、前記内向角変更部は、前記支持部が設けられている前記倍率変更部よりも前記対物レンズ側に設けられていることを特徴としている。
この構成を採用することによって、支持部の位置を変えず（すなわち接眼レンズの位置を変えず）に内向角変更部を設けていないものよりも被検者眼に近づけて内向角変更ユニットを配置することができる。
支持部が設けられている倍率変更部よりも被検者眼側に内向角変更部を設けたことにより、内向角変更部を設けていない従来のものと接眼レンズの位置を変えなくても済む。このため、観察者のリーチングディスタンスが長くならず、内向角変更部を設けても操作性を確保することができる。
【００１０】
また、前記内向角変更部及び前記対物レンズは、前記倍率変更部に対して着脱可能な１つの内向角変更ユニットとして構成されていることを特徴としてもよい。
この構成によれば、内向角変更部が設けられていない細隙灯顕微鏡であっても、従来の対物レンズを取り外して内向角変更ユニットを取り付けることで、内向角変更が可能である。
【００１１】
また、前記内向角変更部は、光路中の位置と光路外の位置との間で移動可能に設けられていることを特徴としてもよい。
光路中に内向角変更部を設けると、立体視領域は広がるが暗くなるというデメリットもある。したがって、内向角変更部を光路外に移動させることで、視野を明るくすることができる。
【発明の効果】
【００１２】
本発明によれば、内向角変更部を設けても観察者のリーチングディスタンスが長くならず、操作性を確保することができる。
【図面の簡単な説明】
【００１３】
【図１】細隙灯顕微鏡の全体構成を示す側面図である。
【図２】細隙灯顕微鏡を被検者側からみた全体構成を示す正面図である。
【図３】顕微鏡ユニットの概略構成を示す平面図である。
【図４】内向角変更部を設けない場合と内向角変更部を設けた場合の配置構成の比較を示す説明図である。
【図５】内向角変更ユニットの斜視図である。
【図６】内向角変更ユニットの内部構造を示す平面図である。
【図７】内向角変更ユニットの背面図である。
【図８】内向角変更部を光路内に配置したときの内向角変更ユニットの内部構成を示す側面図である。
【図９】内向角変更部を光路外に配置したときの内向角変更ユニットの内部構成を示す側面図である。
【発明を実施するための形態】
【００１４】
本実施形態にかかる細隙灯顕微鏡３０の全体構成を図１及び図２に示す。
細隙灯顕微鏡３０は、スリット光を照射する細隙灯３２と、細隙灯３２から照射されたスリット光を被検者眼方向に反射させる反射鏡３４とを有するスリットランプ光学系３５と、観察者が被検者眼を観察するための顕微鏡ユニット３８とを備えている。
【００１５】
細隙灯３２は下方に向けてスリット光を照射するように設けられており、反射鏡３４は細隙灯３２の下方に設けられている。なお、細隙灯３２の内部構成については周知の構成を採用することができるので、ここでは詳述しない。
【００１６】
細隙灯顕微鏡３０には、被検者が顎を乗せる顎受け部３６が設けられている。顎受け部３６は、上下方向に延びる２本の支持アーム３７の間に設けられている。顎受け部３６の上方には被検者の額が当接する額受け部３３が設けられている。額受け部３３も２本の支持アーム３７の間に設けられている。
【００１７】
顎受け部３６に顎を乗せた被検者の被検眼を観察するための顕微鏡ユニット３８は、反射鏡３４を挟んで顎受け部３６や額受け部３３と対向する位置に設けられている。
【００１８】
顕微鏡ユニット３８は、支持ベース４０から上方に延びる支持部４１に取り付けられている。
また、連結アーム３９によって連結された細隙灯３２と反射鏡３４も支持ベース４０に取り付けられている。
支持ベース４０は、架台４２上において微動可能となるように架台４２上に配置されている。このため、顕微鏡ユニット３８と細隙灯３２と反射鏡３４は、支持ベース４０の微動に伴い架台４２に対して微動可能である。
【００１９】
一方、架台４２に対して、顎受け部３６を有する支持アーム３７は移動せずに固定されている。したがって、支持ベース４０は、被検眼に対して微動させることができ、被検眼に対するスリット光の照射位置を調整することができる。
また、支持ベース４０の微動は、ジョイスティック４４を操作することによって実行することができる。
【００２０】
次に、図３に基づいて、本実施形態の顕微鏡ユニット３８の構造について説明する。
顕微鏡ユニット３８は、対物レンズ５０、双眼の接眼レンズ５２、双眼の接眼レンズ５２と対物レンズ５０との間に設けられて双眼の各光路の倍率を変更する倍率変更部５４、双眼での視野角を変更する内向角変更部５６を有している。
また図１に示したように、顕微鏡ユニット３８は、倍率変更部５４に支持部４１の上端部が取り付けられることで、支持されている。
【００２１】
倍率変更部５４には、各光路ごとに複数の倍率変更レンズ５８ａ，５８ｂが配置されて所定の倍率となるように調整される。
また各接眼レンズ５２と、各倍率変更レンズ５８ｂとの間には、２つの光路の間隔を調整するためのプリズム部５９がそれぞれ設けられている。
【００２２】
内向角変更部５６としては、各光路の幅を調整するように形成されたプリズムが採用される。
内向角変更部５６を設けることにより、立体視領域を広げることができる。
【００２３】
図４に示すように、内向角変更部５６を設ける位置は、倍率変更部５４に取り付けられた支持部４１よりも対物レンズ５０側（被検者側）である。そして、内向角変更部５６を設けても接眼レンズ５２の位置は、内向角変更部５６を設けない場合と変わらない位置となるようにしている。
具体的には、内向角変更部５６の光路長分だけ焦点距離を短くするようにすればよい。
【００２４】
対物レンズ５０の焦点距離を、内向角変更部５６を設けない場合よりも短くすることで、対物レンズ５０の位置を被検者眼に近づけることができ、これにより被検者眼から接眼レンズ５２までの距離を、内向角変更部５６を設けても、設けない場合と変わらないようにできる。
【００２５】
本実施形態では、対物レンズ５０と内向角変更部５６を一体に構成した内向角変更ユニット６０を採用している。内向角変更ユニット６０は、倍率変更部５４の被検者側に着脱可能となっている。
【００２６】
図５〜図９に内向角変更ユニットを示す。
内向角変更ユニット６０は、対物レンズ５０と内向角変更部５６を構成するプリズム（以下、内向角変更部（プリズム）と称する）とが１つのケース内に収納されて構成される。
内向角変更ユニット６０は、対物レンズ５０が収納されている個所が被検者側に突出する円筒状部６１として形成され、内向角変更部（プリズム）５６が収納されている個所が薄型の直方体部６２として形成されている。
【００２７】
内向角変更ユニット６０の倍率変更部５４側の面には、２つの光路を構成する２つの円形の開口部６４が形成されている。
また、内向角変更ユニット６０の倍率変更部５４側の面には、倍率変更部５４側に突出する正面視円形の円形凸部６７が形成され、さらに倍率変更部５４に設けられた位置合わせピン（図示せず）が進入可能な、位置合わせ用長穴６８が形成されている。
【００２８】
内向角変更ユニット６０を、倍率変更部５４に取り付ける際には、円形凸部６７の外周及び位置合わせ用長穴６８によって位置決めを行い、ネジ６５によって固定する。
【００２９】
内向角変更ユニット６０は、内向角変更部（プリズム）５６が光路中の位置と光路外の位置との間で移動可能となるような構成を採用している。
内向角変更ユニット６０の側面には切換レバー６６が設けられており、切換レバー６６は内向角変更部（プリズム）５６に取り付けられている。観察者は、切換レバー６６を操作することによって、内向角変更部（プリズム）５６を光路内に配置するか、光路外に配置するかを選択することができる。
【００３０】
本実施形態における切換レバー６６は、ユニット外部から内部に向けて斜め上方に向かうような位置に配置されているときに内向角変更部（プリズム）５６光路内に位置し、切換レバー６６が外部から内部に向けて斜め下方に向かうような位置に配置されているときに内向角変更部（プリズム）５６光路の下方に移動する。
【００３１】
内向角変更部（プリズム）５６を光路内に配置した場合には、立体視領域を広げることができるが視野は暗くなる。一方、内向角変更部（プリズム）５６を光路外に配置した場合、立体視領域は狭くなるが視野は明るくなる。観察者は観察対象の状況に応じて、立体視領域の広さと明暗について切り換えて観察することができる。
【００３２】
なお、本発明としては内向角変更部を光路に対して上下させて光路の内外を移動させることに限定するものではなく、内向角変更部を水平方向に移動させるようにしてもよい。
【００３３】
また、本発明の細隙灯顕微鏡としては、スリット光を反射させるのは反射鏡に限定するものではなく、プリズムであってもよい。また反射鏡又はプリズムの上方からスリット光を照射するものだけでなく、反射鏡又はプリズムの下方からスリット光を照射する構成であってもよい。
【符号の説明】
【００３４】
３０    細隙灯顕微鏡
３２    細隙灯
３３    額受け部
３４    反射鏡
３５    スリットランプ光学系
３６    顎受け部
３７    支持アーム
３８    顕微鏡ユニット
３９    連結アーム
４０    支持ベース
４１    支持部
４２    架台
４４    ジョイスティック
５０    対物レンズ
５２    接眼レンズ
５４    倍率変更部
５６    内向角変更部（プリズム）
５８ａ，５８ｂ   倍率変更レンズ
５９    プリズム部
６０    内向角変更ユニット
６１    円筒状部
６２    直方体部
６４    開口部
６５    ネジ
６６    切換レバー
６７    円形凸部
６８    位置合わせ用長穴
【図１】
2018099433.tif 000003
【図２】
2018099433.tif 000004
【図３】
2018099433.tif 000005
【図４】
2018099433.tif 000006
【図５】
2018099433.tif 000007
【図６】
2018099433.tif 000008
【図７】
2018099433.tif 000009
【図８】
2018099433.tif 000010
【図９】
2018099433.tif 000011